(57)【特許請求の範囲】
【請求項１】
室内側吸排気口及び室外側吸排気口を備えるハウジングと、
前記ハウジングの内部に備えられ、順方向空気が通過する場合には空気を浄化させ、逆方向空気が通過する場合には再生可能な空気浄化フィルタと、
前記ハウジングの内部に備えられ、前記空気浄化フィルタを通過する空気の流動を発生させる送風部と、
前記室外側吸排気口の下方に備えられ、前記室外側吸排気口から排出される埃及び異物が保存されるトレイと、を含み、
前記送風部は、室内換気時には前記空気浄化フィルタに順方向空気が通過し、フィルタ再生時には前記空気浄化フィルタに逆方向空気が通過するように空気の流動を発生させ、
前記トレイは、前記ハウジングに引き出し及び引き込み可能に設けられ、前記ハウジングの室内側から前記ハウジングと分離可能に構成される、換気清浄機。
【請求項２】
前記送風部は、
軸方向に空気を吸入して円周方向に吐出する遠心ファンと、
前記遠心ファンを包むように構成され、前記遠心ファンの軸方向に空気吸気口を備え、前記遠心ファンの円周方向の一側に空気吐出口を備え、前記空気吐出口が前記室内側吸排気口及び前記室外側吸排気口に向かって選択的に配置されるように前記空気吐出口の方向転換が可能なファンケーシングと、
を含む、請求項１に記載の換気清浄機。
【請求項３】
前記ファンケーシングは、外力によって回転し、前記空気吐出口の方向転換可能に構成される、請求項２に記載の換気清浄機。
【請求項４】
前記ファンケーシングを回転させるモータ部材をさらに含む、請求項３に記載の換気清浄機。
【請求項５】
前記空気浄化フィルタは、前記室外側吸排気口に近接して配置される、請求項１に記載の換気清浄機。
【請求項６】
前記送風部の作動及び送風方向を制御する制御部と、
前記ハウジングの室外側に備えられ、室外空気の埃量を測定する埃センサと、を含み、
前記制御部は、前記埃センサで測定された室外空気の埃量に基づいて前記空気浄化フィルタが再生されるように前記送風部を制御する、請求項１に記載の換気清浄機。
【請求項７】
前記制御部は、前記埃センサで測定された室外空気の埃量が予め決定された値を超え、前記送風部が予め決定された時間の間運転された場合、前記空気浄化フィルタが再生されるように前記送風部を制御する、請求項６に記載の換気清浄機。
【請求項８】
前記ハウジングの内部に備えられ、前記空気浄化フィルタを通過した逆方向空気の風量を感知する風量感知器を含み、
前記制御部は、前記風量感知器で測定された風量が予め決定された値以下となる場合、前記空気浄化フィルタが再生されるように前記送風部を制御する、請求項６に記載の換気清浄機。
【請求項９】
前記制御部は、前記送風部の回転数をカウントして前記送風部のファンの累積回転数が予め決定された値を超えると、前記空気浄化フィルタが再生されるように前記送風部を制御する、請求項６に記載の換気清浄機。
【請求項１０】
前記ハウジングの室内側に備えられ、室内空気のラドン濃度を測定するラドンセンサを含み、
前記制御部は、前記ラドンセンサーで測定された室内空気のラドン濃度が予め決定された第１基準濃度以上となる場合、室内空気のラドン濃度が予め決定された第２基準濃度に減少するまで、または予め決定された時間の間、室内空気が室外に排出されるように前記送風部を制御する、請求項６に記載の換気清浄機。
【請求項１１】
前記ハウジングの室外側に備えられ、室外照度を測定する照度センサを含み、
前記制御部は、前記照度センサで測定された室外照度が予め決定された照度以下の場合、前記送風部の風向を室内側に維持させる、請求項６に記載の換気清浄機。
【請求項１２】
前記制御部は、予め設定された時間帯に、前記送風部の風向を室内側に維持させる、請求項６に記載の換気清浄機。
【請求項１３】
前記室外側吸排気口の下方に備えられ、前記室外側吸排気口から排出される埃及び異物が保存され、前記ハウジングに引き出し及び引き込み可能に備えられたトレイを含み、
前記制御部は、前記空気浄化フィルタが再生されるように、前記送風部を制御する場合、前記トレイが前記室外側吸排気口の下方に配置されるように前記ハウジングから前記トレイを引き出す、請求項６に記載の換気清浄機。
【請求項１４】
無線通信を行う無線通信部をさらに含み、
前記制御部は、前記無線通信部を介して受信した信号に基づいて室内換気及びフィルタ再生動作を行う、請求項６に記載の換気清浄機。
【請求項１５】
前記埃センサ及び前記ラドンセンサによって測定された室内及び室外の空気状態と、室内及び室外の空気状態に応じて予め決定された行動指針に対する情報をディスプレイするディスプレイ部を含む、請求項１０に記載の換気清浄機。
【請求項１６】
無線通信を行う無線通信部をさらに含み、
前記制御部は、前記埃センサ及び前記ラドンセンサによって測定された室内及び室外の空気状態と、前記室内及び室外の空気状態に応じて予め決定された行動指針に対する情報を前記無線通信部を介して携帯端末に送信する、請求項１０に記載の換気清浄機。
【発明の詳細な説明】
【技術分野】
【０００１】
本発明は、換気清浄機に関するもので、空気浄化フィルタの再生が可能な換気清浄機に関するものである。
【背景技術】
【０００２】
換気清浄機は、換気設備が整っていない建物で室内への外気の流入を可能にする装置である。
【０００３】
このような換気清浄機には、室内空気及び室外空気をフィルタリングするフィルタが備えられる。
【０００４】
しかし、このような換気清浄機には、外壁や窓などに設置される設置位置の特性上、製品内部に装着されたフィルタの掃除及び交換が容易ではないという短所がある。
【発明の概要】
【発明が解決しようとする課題】
【０００５】
本発明は、上述のような従来技術の問題点のうち少なくとも一部を解決するために案出されたもので、一側面は、空気浄化フィルタを容易に再生させることができる換気清浄機を提供することを目的とする。
【課題を解決するための手段】
【０００６】
上記目的のうち少なくとも一部を達成するための一側面として、本発明は、室内側吸排気口及び室外側吸排気口を備えるハウジングと、上記ハウジングの内部に備えられ、順方向空気が通過する場合には空気を浄化させ、逆方向空気が通過する場合には再生可能な空気浄化フィルタと、上記ハウジングの内部に備えられ、上記空気浄化フィルタを通過する空気の流動を発生させる送風部と、を含み、上記送風部は、室内換気時には上記空気浄化フィルタに順方向空気が通過し、フィルタ再生時には上記空気浄化フィルタに逆方向空気が通過するように空気の流動を発生させる換気清浄機を提供する。
【０００７】
一実施例において、上記送風部は、軸方向に空気を吸入して円周方向に吐出する遠心ファンと、上記遠心ファンを包むように構成され、上記遠心ファンの軸方向に空気吸気口を備え、上記遠心ファンの円周方向の一側に空気吐出口を備え、上記空気吐出口が上記室内側吸排気口及び上記室外側吸排気口に向かって選択的に配置されるように上記空気吐出口の方向転換が可能なファンケーシングと、を含むことができる。
【０００８】
また、一実施例において、上記ファンケーシングは、外力によって回転し、上記空気吐出口の方向転換が可能なように構成することができる。
【０００９】
また、一実施例において、上記ファンケーシングを回転させるモータ部材をさらに含むことができる。
【００１０】
また、一実施例において、上記空気浄化フィルタは、上記室外側吸排気口に近接して配置することもできる。
【００１１】
また、一実施例において、上記室外側吸排気口の下方に備えられ、上記室外側吸排気口から排出される埃及び異物を保存するトレイを含むことができる。
【００１２】
ここで、上記トレイは、上記ハウジングに引き出し及び引き込み可能に設けられ、上記ハウジングの室内側から上記ハウジングと分離可能に構成することもできる。
【００１３】
また、一実施例において、上記送風部の作動及び送風方向を制御する制御部と、上記ハウジングの室外側に備えられ、室外空気の埃量を測定する埃センサと、を含み、上記制御部は、上記埃センサで測定された室外空気の埃量に基づいて上記空気浄化フィルタが再生されるように上記送風部を制御することができる。
【００１４】
また、一実施例において、上記制御部は、上記埃センサで測定された室外空気の埃量が予め決定された値を超え、上記送風部が予め決定された時間の間運転された場合、上記空気浄化フィルタが再生されるように上記送風部を制御することができる。
【００１５】
また、一実施例において、上記ハウジングの内部に備えられ、上記空気浄化フィルタを通過した逆方向空気の風量を感知する風量感知器を含み、上記制御部は、上記風量感知器で測定された風量が予め決定された値以下となる場合、上記空気浄化フィルタが再生されるように上記送風部を制御することができる。
【００１６】
また、一実施例において、上記制御部は、上記送風部の回転数をカウントして上記送風部のファンの累積回転数が予め決定された値を超えると、上記空気浄化フィルタが再生されるように上記送風部を制御することができる。
【００１７】
また、一実施例において、上記ハウジングの室内側に備えられ、室内空気のラドン濃度を測定するラドンセンサを含み、上記制御部は、上記ラドンセンサで測定された室内空気のラドン濃度が予め決定された第１基準濃度以上となる場合、室内空気のラドン濃度が予め決定された第２基準濃度に減少するまで、または予め決定された時間の間、室内空気が室外に排出されるように上記送風部を制御することができる。
【００１８】
また、一実施例において、上記ハウジングの室外側に備えられ、室外照度を測定する照度センサを含み、上記制御部は、上記照度センサで測定された室外照度が予め決定された照度以下の場合、上記送風部の風向を室内側に維持させることができる。
【００１９】
また、一実施例において、上記制御部は、予め設定された時間帯に、上記送風部の風向を室内側に維持させることもできる。
【００２０】
また、一実施例において、上記室外側吸排気口の下方に備えられ、上記室外側吸排気口から排出される埃及び異物が保存され、上記ハウジングに引き出し及び引き込み可能に備えられたトレイを含み、上記制御部は、上記空気浄化フィルタが再生されるように上記送風部を制御する場合、上記トレイが上記室外側吸排気口の下方に配置されるように上記ハウジングから上記トレイを引き出すことができる。
【００２１】
また、一実施例において、無線通信を行う無線通信部をさらに含み、上記制御部は、上記無線通信部を介して受信した信号に基づいて室内換気及びフィルタ再生動作を行うことができる。
【００２２】
また、一実施例において、上記埃センサ及び上記ラドンセンサによって測定された室内及び室外の空気状態と、室内及び室外の空気状態に応じて予め決定された行動指針に対する情報をディスプレイするディスプレイ部を含むことができる。
【００２３】
また、一実施例において、上記制御部は、上記埃センサ及び上記ラドンセンサによって測定された室内及び室外の空気状態と、上記室内及び室外の空気状態に応じて予め決定された行動指針に対する情報を上記無線通信部を介して携帯端末に送信することができる。
【発明の効果】
【００２４】
このような構成を有する本発明の一実施例によると、空気浄化フィルタを装置本体から取り外すことなく再生させることができるため、使用便利性が向上し、空気浄化フィルタの再生を通じてフィルタの使用寿命が延びるという効果を得ることができる。
【図面の簡単な説明】
【００２５】
【図１】本発明の一実施例による換気清浄機の室内換気動作状態の内部構成を概略的に示す断面図である。
【図２】図１に示された換気清浄機のフィルタ再生動作状態の内部構成を概略的に示す断面図である。
【図３】図１に示された換気清浄機に含まれる送風部の斜視図である。
【発明を実施するための形態】
【００２６】
本明細書で用いられた用語は、単に特定の実施例を説明するために用いられたもので、本発明を限定しようとする意図ではない。また、本明細書で用いられた単数の表現は文脈上明確に異なる意味でない限り複数を含む。
【００２７】
以下、添付の図面を参考にして本発明の好ましい実施例について説明する。
【００２８】
まず、図１〜図３を参照して、本発明の一実施例による換気清浄機について説明する。
【００２９】
図１〜図３に示すように、本発明の一実施例による換気清浄機１００は、ハウジング１１０、空気浄化フィルタ１２０、送風部１３０、モータ部材１４０、制御部１５０、及びトレイ１６０を含み、埃センサ１７１、ラドンセンサ１７２、風量感知器１７３、照度センサ１７４、無線通信部（図示せず）、及びディスプレイ部（図示せず）をさらに含むことができる。
【００３０】
上記ハウジング１１０は、本発明の一実施例による換気清浄機１００の外観を構成し、後述する空気浄化フィルタ１２０、送風部１３０、モータ部材１４０、及び制御部１５０が設置されることができる内部空間を設けるボックス形態の部材で構成することができる。
【００３１】
一実施例において、ハウジング１１０は、一側に室内側吸排気口１１２、他側に室外側吸排気口１１４を備えることができる。
【００３２】
上記室内側吸排気口１１２は、ハウジング１１０の内部の空気が室内に吐出され、室内空気がハウジング１１０の内部に吸入される通気口に該当する。
【００３３】
また、上記室外側吸排気口１１４は、室外空気がハウジング１１０の内部に吸入され、ハウジング１１０の内部の空気が室外に吐出される通気口に該当する。
【００３４】
また、一実施例において、室外側吸排気口１１４には、雨または雪が室外側吸排気口１１４を介してハウジング１１０の内部に流入されることを防止するための雨よけ膜１１５の構造が備えられることもできる。
【００３５】
上記空気浄化フィルタ１２０は、ハウジング１１０の内部に備えられ、順方向空気が通過する場合には通過する空気を浄化させ、逆方向空気が通過する場合には再生することができる。
【００３６】
ここで、上記順方向空気とは、室外側吸排気口１１４を介して室外空気が空気浄化フィルタ１２０に流入される方向のことであり、上記逆方向空気とは、室内側吸排気口１１２を介して室内空気が空気浄化フィルタ１２０に流入される方向のことである。
【００３７】
このような空気浄化フィルタ１２０は、順方向空気が通過する場合、室外空気内の埃を捕集して空気を浄化することができる。
【００３８】
また、空気浄化フィルタ１２０に逆方向空気が通過する場合、空気浄化フィルタ１２０に捕集された埃粒子が風によって空気浄化フィルタ１２０から取り除かれることができる。これにより、空気浄化フィルタ１２０は、再生されることができる。
【００３９】
一例として、空気浄化フィルタ１２０は、通気性構造であり、通過する空気内の埃粒子を捕集することができる不織布フィルタで構成することができるが、これに限定されるものではない。
【００４０】
一方、一実施例において、空気浄化フィルタ１２０は、再生時に取り除かれる埃粒子が室外側吸排気口１１４を介して室外に排出されるよう、図１及び図２に示すように、室外側吸排気口１１４に近接して配置することができるが、これに限定されるものではない。
【００４１】
上記送風部１３０は、ハウジング１１０の内部に備えられ、稼働時に空気浄化フィルタ１２０を通過する空気の流動を発生させることができる。ここで、送風部１３０によって発生する空気の流動は、上記順方向空気及び逆方向空気を含む。
【００４２】
このような送風部１３０は、室内換気時には空気浄化フィルタ１２０に順方向空気を通過させることができ、フィルタ再生時には空気浄化フィルタ１２０に逆方向空気を通過させることができる。
【００４３】
すなわち、送風部１３０は、空気の流動方向を転換して、室内換気動作及びフィルタ再生動作を選択的に行うことができる。
【００４４】
このような動作を具現するために、一実施例において、送風部１３０は、図１〜図３に示すように、遠心ファン１３２及びファンケーシング１３６を含むことができる。
【００４５】
上記遠心ファン１３２は、軸方向に空気を吸入して円周方向に吐出するように構成することができる。
【００４６】
このような遠心ファン１３２は、後述するファンケーシング１３６に固定されるファンモータ１３４によって回転することができる。
【００４７】
上記ファンケーシング１３６は、遠心ファン１３２を包むように構成して、遠心ファン１３２から吐出される空気をガイドすることができる。
【００４８】
一実施例において、ファンケーシング１３６は、遠心ファン１３２の軸方向に配置される空気吸気口１３７と、遠心ファン１３２の円周方向の一側に空気吐出口１３８と、を備えることができる。
【００４９】
また、このようなファンケーシング１３６は、上記空気吐出口１３８が室内側吸排気口１１２及び室外側吸排気口１１４に向かって選択的に配置されるように空気吐出口１３８の方向を転換することができる。
【００５０】
一実施例において、ファンケーシング１３６は、外力によって回転し、空気吐出口１３８の方向転換が可能なように構成することができる。
【００５１】
図１及び図２に示された一実施例において、ファンケーシング１３６は、室内側吸排気口１１２と室外側吸排気口１１４を結ぶ延長線に垂直な軸を中心に回転可能に構成されることができるが、これに限定されるものではない。
【００５２】
このようなファンケーシング１３６は、使用者によって手動で回転してもよく、電動装置の動力を通じて自動で回転してもよい。
【００５３】
ここで、ファンケーシング１３６が電動装置の動力を通じて自動で回転可能に構成される場合、上記モータ部材１４０が備えられることができる。
【００５４】
上記モータ部材１４０は、ハウジング１１０の内部に備えられ、ファンケーシング１３６を回転させることができる。
【００５５】
一実施例において、モータ部材１４０は、ハウジング１１０の内部に固定され、回転軸１４２がファンケーシングの本体に結合することができる。
【００５６】
上記制御部１５０は、ハウジング１１０における室内に配置される部分に設けられ、使用者が本発明の一実施例による換気清浄機１００を作動させることができるように備えられる。
【００５７】
一実施例において、制御部１５０は、モータ部材１４０を制御することができるように構成されて、使用者が制御部１５０を操作してモータ部材１４０を稼動させることにより、室内空気の換気動作及びフィルタ再生動作が行われるようにすることができる。
【００５８】
制御部１５０は、例えば、中央処理装置（ＣＰＵ）、グラフィック処理装置（ＧＰＵ）、マイクロプロセッサ、注文型半導体（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、Ｆｉｅｌｄ  Ｐｒｏｇｒａｍｍａｂｌｅ  Ｇａｔｅ  Ａｒｒａｙｓ（ＦＰＧＡ）などのプロセッサで具現されることができる。
【００５９】
上記トレイ１６０は、室外側吸排気口１１４の下方に備えられ、空気浄化フィルタ１２０の再生時に室外側吸排気口１１４から排出されて落下する埃及び異物を保存することができる。このようなトレイ１６０は、フィルタ再生時に発生する埃及び異物が外部に流出することを防止することができる。
【００６０】
一実施例において、トレイ１６０は、ハウジング１１０の内側に引き込まれることができ、必要に応じて、ハウジング１１０の外側に引き出されることができるように構成することができる。このため、一実施例において、トレイ１６０は、ハウジング１１０の下端に形成された空間に引き込み及び引き出しがともにできるように収納されることができる。ここで、トレイ１６０は、制御部１５０によって自動で引き込み及び引き出しの動作が可能なように構成することもできる。
【００６１】
制御部は、空気浄化フィルタ１２０を再生するとき、トレイ１６０が室外側吸排気口１１４の下方に位置するようにトレイ１６０をハウジング１１０の室外側に引き出すことができる。
【００６２】
また、使用者が室内でトレイ１６０に保存された埃及び異物を処理できるよう、トレイ１６０は、ハウジング１１０の室内側からハウジング１１０と分離可能に構成することができる。一実施例において、ハウジング１１０の室内側には、トレイ１６０が引き出されることができる引出口１６５を形成することができる。
【００６３】
このような本発明の一実施例による換気清浄機１００は、室内空気の換気動作時には、図１に示すように、送風部１３０が室外から室内方向に空気を流動させて、空気浄化フィルタ１２０を介して室外空気が浄化されるようにすることができ、フィルタ再生動作時には、図２に示すように、送風部１３０が室内から室外方向に空気を流動させて、空気浄化フィルタ１２０が再生されるようにすることができる。
【００６４】
このような本発明の一実施例による換気清浄機１００は、空気浄化フィルタ１２０を装置から取り外すことなく再生させることができるため、使用便利性が向上し、空気浄化フィルタ１２０の再生を通じてフィルタの使用寿命が延びるという長所がある。
【００６５】
一方、本発明の一実施例による換気清浄機１００は、上述のとおり、埃センサ１７１、ラドンセンサ１７２、風量感知器１７３、照度センサ１７４、無線通信部（図示せず）、及びディスプレイ部（図示せず）をさらに含むことができる。
【００６６】
上記埃センサ１７１は、ハウジング１１０の室外側に備えられ、室外空気の埃量を測定することができる。
【００６７】
一実施例において、制御部１５０は、埃センサ１７１で測定された室外空気の埃量が予め決定された値を超え、送風部１３０の累積風量が予め決定された風量を超えると、空気浄化フィルタ１２０が再生されるように送風部１３０を制御することができる。すなわち、制御部１５０は、室外空気の埃量及び送風部の累積風量を計算し、空気浄化フィルタ１２０に捕集された埃量を推定することでフィルタ再生動作を行うことができる。
【００６８】
上記風量感知器１７３は、ハウジング１１０の内部に備えられ、空気浄化フィルタ１２０を通過して送風部１３０に流入される逆方向空気の風量を感知することができる。
【００６９】
一実施例において、制御部１５０は、上記風量検出器１７３で測定される風量が予め決定された値以下となる場合、空気浄化フィルタ１２０が自動で再生されるように送風部１３０を制御することができる。
【００７０】
また、一実施例において、制御部１５０は、送風部１３０の回転数をカウントして送風部１３０の遠心ファン１３２の累積回転数が予め決定された値を超えると、空気浄化フィルタ１２０が再生されるように送風部１３０を制御することもできる。
【００７１】
上記ラドンセンサ１７２は、ハウジング１１０の室内側に備えられ、室内空気のラドン濃度を測定することができる。
【００７２】
一実施例において、制御部１５０は、ラドンセンサ１７２で測定された室内空気のラドン濃度が予め決定された第１基準濃度以上となる場合、室内空気のラドン濃度が予め決定された第２基準濃度に減少するまで、または予め決定された時間の間、室内空気が室外へ排出されるように送風部１３０を制御することができる。
【００７３】
上記照度センサ１７４は、ハウジング１１０の室外側に備えられ、室外照度を測定することができる。
【００７４】
一実施例において、制御部１５０は、照度センサ１７４で測定された室外照度が予め決定された照度以下の場合、送風部１３０の風向を室内側に維持させることができる。これにより、制御部１５０は、夜間にはフィルタ再生動作を行わないように構成することができる。
【００７５】
さらに、制御部１５０は、予め設定された時間帯、すなわち、夜間の時間帯には、送風部１３０の風向を室内側に維持させてフィルタ再生動作を行わないように構成することもできる。
【００７６】
上記無線通信部（図示せず）は、別のセンサからの測定信号を受信するために用意されることができる。無線通信部は、ブルートゥース（登録商標）（Ｂｌｕｅｔｏｏｔｈ）、Ｗｉ−Ｆｉ、３Ｇなどの無線通信技術によって具現されることができる。
【００７７】
制御部１５０は、上記無線通信部を介して外部（例えば、気象庁などの気象情報提供機関またはメーカ）から空気状態に関する信号を受信することができる。制御部は、無線通信部を介して別のセンサや気象情報提供機関などから受信した信号に基づいて換気清浄機１００の運転を制御することができる。
【００７８】
すなわち、制御部１５０は、無線通信部を介して受信した信号に基づいて室内換気及び空気浄化フィルタ１２０の再生動作を行うことができる。
【００７９】
また、制御部１５０は、空気浄化フィルタ１２０の再生動作が行われている場合は、使用者が所持する携帯端末（例えば、スマートフォン、タブレットなど）に無線通信部を介して再生動作進行通知を提供することができる。
【００８０】
このため、携帯端末には換気清浄機１００と連動するためのアプリケーションが設置されることができる。携帯端末は、設置されたアプリケーションを介して換気清浄機１００から受信した情報をディスプレイし、さらにアプリケーションを介して換気清浄機１００の動作を制御することもできる。
【００８１】
上記ディスプレイ部（図示せず）は、埃センサ１７１及びラドンセンサ１７２によって測定された室内及び室外の空気状態と、室内及び室外の空気状態に応じて予め決定された行動指針（例えば、外出可能、外出自制、マスク準備など）に対する情報をディスプレイすることができる。
【００８２】
また、上述のとおり、換気清浄機１００が無線通信部を含む場合、制御部１５０の制御により、ディスプレイ部にディスプレイされる情報が無線通信部を介して使用者が所持する携帯端末（例えば、スマートフォン、タブレットなど）に送信され、携帯端末を介して上述の情報がディスプレイされることもできる。
【００８３】
本発明は、特定の実施例に関して図示し説明したが、当業界で通常の知識を有する者であれば特許請求の範囲に記載された本発明の思想及び領域を外れない範囲内で本発明を多様に修正及び変更できることを明らかにする。
【図１】
0006419320.tif 000002
【図２】
0006419320.tif 000003
【図３】
0006419320.tif 000004